(57)【特許請求の範囲】
【請求項１】
室内機（２）と室外機（３）とに分割された空気調和装置において、前記室内機（２）の冷媒配管（２ａ、２ｂ）と前記室外機（３）の冷媒配管（３ａ、３ｂ）との間を接続し冷媒を流通するための連絡配管（４、５）と、前記室内機（２）の冷媒配管（２ａ、２ｂ）又は前記室外機（３）の冷媒配管（３ａ、３ｂ）との間を電気的に絶縁するための空気調和装置の電気絶縁装置（１１、１２、１３、１４）であって、
前記室内機（２）の冷媒配管（２ａ、２ｂ）及び前記室外機（３）の冷媒配管（３ａ、３ｂ）のそれぞれに接続される冷媒配管接続部（２１）と、
前記連絡配管（４、５）に接続される連絡配管接続部（２２）と、
前記冷媒配管接続部（２１）と前記連絡配管（２２）とを電気的に絶縁するとともに冷媒が流通することが可能な絶縁部（２３）と、
前記連絡配管接続部（２２）と前記絶縁部（２３）との間に設けられており、前記室内機（２）及び前記室外機（３）から前記連絡配管（４、５）へ電気信号を伝送するための電気接続配線（２ｃ、２ｄ、３ｃ、３ｄ）が装着される端子部（２４）とを備え、
前記室内機（２）及び前記室外機（３）の外部に設置される一体のユニットである、
空気調和装置の電気絶縁装置（１１、１２、１３、１４）。
【請求項２】
前記絶縁部（２３）は、第１フランジ（２１ｂ）と第２フランジ（２２ｂ）とが複数のボルト（２６）によって締結された構造を有している、請求項１に記載の空気調和装置の電気絶縁装置（１１、１２、１３、１４）。
【請求項３】
前記第１フランジ（２１ｂ）と第２フランジ（２２ｂ）との間には、電気絶縁材料からなる第１絶縁部材（２５）が挟まれており、
前記第１フランジ（２１ｂ）及び前記第２フランジ（２２ｂ）の少なくとも一方と前記複数のボルト（２６）との間には、電気絶縁材料からなる第２絶縁部材（２８、２９）が介在している、
請求項２に記載の空気調和装置の電気絶縁装置（１１、１２、１３、１４）。
【請求項４】
室内機（２）と、
室外機（３）と、
前記室内機（２）の冷媒配管（２ａ、２ｂ）と前記室外機（３）の冷媒配管（３ａ、３ｂ）との間を接続し冷媒を流通するための連絡配管（４、５）と、
前記室内機（２）の冷媒配管（２ａ、２ｂ）と前記連絡配管（４、５）との間及び前記室外機（３）の冷媒配管（３ａ、３ｂ）と前記連絡配管（４、５）との間のそれぞれに設けられた請求項１〜３のいずれかに記載の電気絶縁装置（１１、１２、１３、１４）と、
を備えた空気調和装置。
【発明の詳細な説明】
【０００１】
【発明の属する技術分野】
本発明は、空気調和装置の電気絶縁装置、及びそれを備えた空気調和装置、特に、室内機と室外機とに分割された空気調和装置において室内機の冷媒配管と室外機の冷媒配管との間を接続し冷媒を流通するための連絡配管と室内機の冷媒配管又は室外機の冷媒配管との間を電気的に絶縁するための空気調和装置の電気絶縁装置、及びそれを備えた空気調和装置に関する。
【０００２】
【従来の技術】
室内機と室外機とに分割された空気調和装置において、室内機と室外機との接続は、一般に、室内機の冷媒配管と室外機の冷媒配管との間を接続するためのガス側連絡配管及び液側連絡配管と、室内機と室外機との間で電気信号を伝送するための電気接続配線とによって行われている。
【０００３】
このような空気調和装置では、空気調和装置の設置時に、室内機の冷媒配管及び室外機の冷媒配管に各連絡配管を接続する作業と、電気接続配線を接続する作業とを行う必要があるため、設置工事の作業に手間がかかるものになっている。このため、設置工事の作業性の向上が望まれている。特に、ビル等の複数台の空気調和装置を備えたシステムにおいては、工期の短縮等の観点から空気調和装置の設置工事の作業性の向上が望まれている。
【０００４】
このような問題を解決する手段として、特公平７−６５７８３号公報に、ガス側連絡配管及び液側連絡配管を電気接続配線として使用する構成が開示されている。具体的には、ガス側連絡配管及び液側連絡配管と室内機の冷媒配管及び室外機の冷媒配管との接続部分に電気絶縁装置を設けることによって、室内機の冷媒配管と室外機の冷媒配管との間でガス側連絡配管及び液側連絡配管を電気的に絶縁して電気接続配線として使用するものである。
【０００５】
【発明が解決しようとする課題】
しかし、上記従来の電気絶縁装置は、室内機及び室外機に内蔵されているか、又は、室内機及び室外機に装着されたものであるため、室内機及び室外機の設置工事時に電気絶縁装置に冷媒の漏れや漏電等の不具合が生じた場合の対応が困難であったり、室内機及び室外機の設置場所が限定されてしまう等、設置工事時の作業性の向上が十分に図れないおそれがある。
【０００６】
本発明の課題は、室内機と室外機とに分割された空気調和装置において、電気絶縁装置の室内機及び室外機の設置工事の作業性を向上することができる空気調和装置の電気絶縁装置を提供することにある。
【０００７】
【課題を解決するための手段】
請求項１に記載の空気調和装置の電気絶縁装置は、室内機と室外機とに分割された空気調和装置において、室内機の冷媒配管と室外機の冷媒配管との間を接続し冷媒を流通するための連絡配管と、室内機の冷媒配管又は室外機の冷媒配管との間を電気的に絶縁するための空気調和装置の電気絶縁装置であり、冷媒配管接続部と、連絡配管接続部と、絶縁部と、端子部とを備えており、室内機及び室外機の外部に設置される一体のユニットである。
【０００８】
冷媒配管接続部は、室内機の冷媒配管及び室外機の冷媒配管のそれぞれに接続されている。連絡配管接続部は、連絡配管に接続されている。絶縁部は、冷媒配管接続部と連絡配管とを電気的に絶縁するとともに冷媒が流通することが可能である。端子部は、連絡配管接続部と絶縁部との間に設けられており、室内機及び室外機から連絡配管へ電気信号を伝送するための電気接続配線が装着される。
【０００９】
この空気調和装置の電気絶縁装置は、室内機及び室外機の冷媒配管と冷媒配管接続部との接続は室内機及び室外機の外部で行われている。つまり、電気絶縁装置は、冷媒配管接続部と連絡配管接続部と絶縁部と端子部とから構成され、かつ、室内機及び室外機の外部に配置された一体のユニットである。このため、室内機及び室外機の設置工事の際に、電気絶縁装置に冷媒の漏れや漏電等の不具合が生じても、電気絶縁装置を交換する等の対応が容易となり、また、室内機及び室外機の設置場所が限定されないので、室内機及び室外機の設置工事の作業性が向上する。しかも、この空気調和装置の電気絶縁装置では、電気接続配線が装着される端子部をさらに備えた一体のユニットであるため、室内機及び室外機と電気絶縁装置との間の配線が容易となる。
【００１０】
請求項２に記載の空気調和装置は、請求項１において、絶縁部は、第１フランジと第２フランジとが複数のボルトによって締結された構造を有している。
【００１１】
請求項３に記載の空気調和装置は、請求項２において、第１フランジと第２フランジとの間には、電気絶縁材料からなる第１絶縁部材が挟まれている。第１フランジ及び第２フランジの少なくとも一方と複数のボルトとの間には、電気絶縁材料からなる第２絶縁部材が介在している。
【００１２】
請求項４に記載の空気調和装置は、室内機と、室外機と、連絡配管と、請求項１〜３のいずれかに記載の電気絶縁装置とを備えている。連絡配管は、室内機の冷媒配管と室外機の冷媒配管との間を接続し冷媒を流通する。電気絶縁装置は、室内機の冷媒配管と連絡配管との間及び室外機の冷媒配管と連絡配管との間のそれぞれに設けられている。
【００１３】
この空気調和装置では、室内機及び室外機とは別ユニットの電気絶縁装置を用いて、室内機の冷媒配管と連絡配管との間及び室外機の冷媒配管と連絡配管との間の電気的絶縁を行っているため、室内機及び室外機の設置工事の作業性を向上できる。
【００１４】
【発明の実施の形態】
［第１実施形態］
以下、本発明の第１実施形態を図面に基づいて説明する。
【００１５】
（１）空気調和装置の構成及び電気絶縁装置の構造
図１は、本実施形態の空気調和装置１の構成を示す図である。図１に示すように、空気調和装置１は、建物の外壁１０の内側に設置された室内機２と、外壁１０の外側に設置された室外機３と、ガス側連絡配管４（連絡配管）と、液側連絡配管５（連絡配管）と、ガス側連絡配管４と室内機２側のガス側冷媒配管３ａとの間及び液側連絡配管５と室内機２側の液側冷媒配管２ｂとの間にそれぞれ設けられた電気絶縁装置１１、１２と、ガス側連絡配管４と室外機３側のガス側冷媒配管３ａとの間及び液側連絡配管５と室外機３側の液側冷媒配管３ｂとの間にそれぞれ設けられた電気絶縁装置１３、１４と、室内機２から電気絶縁装置１１、１２のそれぞれに接続された電気接続配線２ｃ、２ｄと、室外機３から電気絶縁装置１３、１４のそれぞれに接続された電気接続配線３ｃ、３ｄとを備えている。
【００１６】
ガス側連絡配管４及び液側連絡配管５は、例えば、銅等の金属製の配管であり、室内機２の冷媒配管と室外機３の冷媒配管との間を接続して冷媒を流通させるための連絡配管である。室内機２側の冷媒配管２ａ、２ｂ及び室外機３側の冷媒配管３ａ、３ｂは、例えば、銅等の金属製の配管であり、室内機２及び室外機３に内蔵された機器に接続されている。
【００１７】
電気絶縁装置１１は、ガス側連絡配管４と室内機２のガス側冷媒配管２ａとの間に設けられており、ガス側連絡配管４と室内機２側のガス側冷媒配管２ａとを電気的に絶縁している。電気絶縁装置１２は、液側連絡配管５と室内機２の液側冷媒配管２ｂとの間に設けられており、液側連絡配管５と室内機２側の液側冷媒配管２ｂとを電気的に絶縁している。電気絶縁装置１３は、ガス側連絡配管４と室外機３のガス側冷媒配管３ａとの間に設けられており、ガス側連絡配管４と室外機３側のガス側冷媒配管３ａとを電気的に絶縁している。電気絶縁装置１４は、液側連絡配管５と室外機３の液側冷媒配管３ｂとの間に設けられており、液側連絡配管５と室外機３側の液側冷媒配管３ｂとを電気的に絶縁している。すなわち、室内機２と室外機３との間のガス側連絡配管４及び液側連絡配管５は、電気絶縁装置１１〜１４によって、室内機２及び室外機３側の冷媒配管２ａ、２ｂ、３ａ、３ｂから電気的に絶縁されている。
【００１８】
電気接続配線２ｃ、２ｄ、３ｃ、３ｄは、室内機２及び室外機３との間で制御信号等の電気信号を伝送するための導線であり、それぞれ、電気絶縁装置１１、１２、１３、１４を介して、ガス側連絡配管４及び液側連絡配管５に電気的に接続されている。つまり、ガス側連絡配管４は電気接続配線２ｃと３ｃとの間を接続するための電気配線の機能を有し、液側連絡配管５は電気接続配線２ｄと３ｄとの間を接続するための電気配線の機能を有している。
【００１９】
次に、電気絶縁装置１１の構造について説明する。尚、他の電気絶縁装置１２、１３、１４は、各配管との接続位置が異なるが構造については電気絶縁装置１１と同じであるため、説明を省略する。
【００２０】
電気絶縁装置１１は、図２に示すように、室内機２のガス側冷媒配管２ａに接続される冷媒配管接続部２１と、ガス側連絡配管４に接続される連絡配管接続部２２と、冷媒配管接続部２１とガス側連絡配管４とを電気的に絶縁するとともに冷媒が流通することが可能な絶縁部２３と、電気接続配線２ｃが装着される端子部２４とを備えている。
【００２１】
冷媒配管接続部２１は、例えば、銅等の金属製の配管であり、室内機２側の冷媒配管２ａ側に設けられたフレアーナット２１ａによって、室内機２のガス側冷媒配管２ａに接続されている。連絡配管接続部２２は、ガス側連絡配管４側に設けられたフレアーナット２２ａによって、ガス側連絡配管４に接続されている。これにより、冷媒配管接続部２１はガス側冷媒配管２ａのガス側連絡配管４側の端部を構成し、連絡配管接続部２２はガス側連絡配管４のガス側冷媒配管２ａ側の端部を構成している。
【００２２】
絶縁部２３は、冷媒配管接続部２１のガス側連絡配管４側の端部に形成された環状の第１フランジ２１ｂと、連絡配管接続部２２の室内機２側の端部に形成された環状の第２フランジ２２ｂと、第１フランジ２１ｂと第２フランジ２２ｂとの間に設けられたガスケット２５と、第１フランジ２１ｂと第２フランジ２２ｂとを締結するための複数の通しボルト２６及びナット２７と、第１フランジ２１ｂ及び第２フランジ２２ｂのボルト孔と通しボルト２６との間に介在するスリーブ２８と、通しボルト２６の頭部２６ａと第１フランジ２１ｂとの間に挟まれたワッシャー２９とから構成されている。また、通しボルト２６の頭部２６ａは、セラミックスや樹脂等の電気絶縁材料からなるコーティング材によって覆われている。ここで、第１フランジ２１ｂ、第２フランジ２２ｂ、複数の通しボルト２６及びナット２７は、金属製の部材である。ガスケット２５は、ゴムや樹脂等の電気絶縁材料からなる環状の部材である。スリーブ２８は、樹脂等の電気絶縁材料からなる筒状の部材である。さらに、絶縁部２３は、断熱材３０によって覆われている。
【００２３】
このような絶縁部２３によって、冷媒配管接続部２１と連絡配管接続部２２とは、電気的に絶縁されており、冷媒が流通可能になっている。これにより、室内機２のガス側冷媒配管２ａとガス側連絡配管４とが絶縁部２３を介して電気的に絶縁されている。そして、室内機２の電気接続配線２ｃと室外機３の電気接続配線３ｃとの間においては、ガス側連絡配管４を介して、電気信号が伝送される。また、室内機２の電気接続配線２ｄと室外機３の電気接続配線３ｄとの間においては、液側連絡配管５を介して、電気信号が伝送される。
【００２４】
（２）電気絶縁装置の特徴
本実施形態の電気絶縁装置には、以下のような特徴がある。
【００２５】
＜１＞電気絶縁装置のユニット化
本実施形態の空気調和装置の電気絶縁装置１１〜１４は、室内機２及び室外機３の冷媒配管と冷媒配管接続部との接続が室内機２及び室外機３の外部で行われている。つまり、電気絶縁装置１１〜１４は、冷媒配管接続部２１と連絡配管接続部２２と絶縁部２３とから構成され、室内機２及び室外機３の外部に配置された一体のユニットである。このため、室内機２及び室外機３の設置工事の際に、電気絶縁装置１１〜１４に冷媒の漏れや漏電等の不具合が生じても、電気絶縁装置を交換する等の対応が容易となり、また、室内機２及び室外機３の設置場所が限定されないので、室内機２及び室外機３の設置工事の作業性が向上する。また、本実施形態の空気調和装置の電気絶縁装置１１〜１４では、電気接続配線２ｃ、２ｄ、３ｃ、３ｄが装着される端子部２４をさらに備えているため、室内機２及び室外機３と電気絶縁装置１１〜１４との間の配線が容易である。
【００２６】
＜２＞電気絶縁装置の信頼性向上
本実施形態の空気調和装置の電気絶縁装置１１〜１４では、絶縁部２４の第１フランジ２１ｂ及び第２フランジ２２ｂの締結を工場等で行うことが可能となり現地で行う必要がないため、設置工事の作業性が向上するとともに、冷媒の漏れや漏電等に対する信頼性も向上している。
【００２７】
＜３＞既存の空気調和装置への適用
本実施形態の空気調和装置の電気絶縁装置１１〜１４は、上記のように、室内機２及び室外機３とは別ユニットであるため、既存の空気調和装置に適用することが容易である。
【００２８】
［第２実施形態］
本実施形態は、第１実施形態と基本的な構成は同じであり、電気絶縁装置の絶縁部の構造のみが異なる。以下、本実施形態の絶縁部１２３を図３に基づいて説明する。尚、ここでは、第１実施形態における電気絶縁装置１１に対応する電気絶縁装置１１１について説明し、他の電気絶縁装置１１２〜１１４の説明は省略する。
【００２９】
電気絶縁装置１１１の絶縁部１２３は、冷媒配管接続部１２１のガス側連絡配管４側の端部に形成された環状の第１フランジ１２１ｂと、連絡配管接続部１２２の室内機２側の端部に形成された環状の第２フランジ１２２ｂと、第１フランジ１２１ｂと第２フランジ１２２ｂとの間に設けられたガスケット１２５と、第１フランジ１２１ｂと第２フランジ１２２ｂとを締結するための複数の押さえボルト１２６と、第１フランジ１２１ｂのボルト孔と押さえボルト１２６との間に介在するスリーブ１２８とから構成されている。スリーブ１２８は、押さえボルト１２６の頭部１２６ａと第１フランジ１２１ｂとの間に挟まれたワッシャー部１２８ａを有している。また、押さえボルト１２６の頭部１２６ａは、セラミックスや樹脂等の電気絶縁材料からなるコーティング材によって覆われている。ここで、ここで、第１フランジ１２１ｂ、第２フランジ１２２ｂ、複数の通しボルト１２６及びナット１２７は、金属製の部材である。ガスケット１２５は、ゴムや樹脂等の電気絶縁材料からなる環状の部材である。スリーブ１２８は、樹脂等の電気絶縁材料からなる筒状の部材である。そして、絶縁部１２３は、断熱材１３０によって覆われている。
【００３０】
本実施形態においても、第１実施形態と同様な効果が得られる。
【００３１】
［他の実施形態］
以上、本発明の実施形態について説明したが、具体的な構成は、前記実施形態に限られるものではなく、発明の要旨を逸脱しない範囲で変更可能である。
【００３２】
例えば、第１及び第２実施形態において、冷媒配管接続部及び連絡配管接続部と各冷媒配管及び連絡配管との接続はフレアーナット接続となっているが、ロウ付けによって接続してもよい。
【００３３】
【発明の効果】
以上の説明に述べたように、本発明によれば、以下の効果が得られる。
【００３４】
請求項１〜３にかかる発明では、電気絶縁装置が室内機及び室外機とは別のユニットにしているため、室内機及び室外機の設置工事の作業性を向上できる。しかも、電気絶縁装置が電気接続配線が装着される端子部をさらに備えているため、室内機及び室外機と電気絶縁装置との間の配線が容易になる。
【００３５】
請求項４にかかる発明では、室内機及び室外機とは別ユニットの電気絶縁装置を用いて、室内機の冷媒配管と連絡配管との間及び室外機の冷媒配管と連絡配管との間の電気的絶縁を行っているため、室内機及び室外機の設置工事の作業性を向上できる。
【図面の簡単な説明】
【図１】  本発明の実施形態にかかる空気調和装置の構成図。
【図２】  第１実施形態の電気絶縁装置を示す図。
【図３】  第２実施形態の電気絶縁装置を示す図。
【符号の説明】
２  室内機
２ａ  ガス側冷媒配管（冷媒配管）
２ｂ  液側冷媒配管（冷媒配管）
３  室外機
３ａ  ガス側冷媒配管（冷媒配管）
３ｂ  液側冷媒配管（冷媒配管）
４  ガス側連絡配管（連絡配管）
５  液側連絡配管（連絡配管）
１１、１２、１３、１４  電気絶縁装置
２１  冷媒配管接続部
２２  連絡配管接続部
２３  絶縁部
２４  端子部
【図１】
0003985556.tif 000002
【図２】
0003985556.tif 000003
【図３】
0003985556.tif 000004